(57)【特許請求の範囲】
【請求項１】
パチンコ機列内から搬送された硬貨の受取り部と、所定の高さ位置に配置される両替機または紙幣玉貸機の補給口へ硬貨を運搬する運搬装置の硬貨投入口との間に配置される硬貨自動補給装置において、
所定の駆動手段を有して設けられ、閉じた状態において、さらに、一定量以上の硬貨が投入された場合には、その過剰に投入された硬貨を硬貨収容金庫側通路に排出せしめ、開いた状態では、該硬貨を硬貨運搬装置へ送り込む一体形状の傾斜オープナープレートを備えたことを特徴とする定量硬貨自動補給装置。
【請求項２】
前記一体形状の傾斜オープナープレートが、開いた状態では、硬貨を運搬装置へ送り込む案内経路の一部を構成することを特徴とする請求項１記載の定量硬貨自動補給装置。
【請求項３】
前記一体形状の傾斜オープナープレートは、閉じた状態では、一定量の硬貨を一時的に保留する硬貨一時保留部の一部を構成することを特徴とする請求項１記載の定量硬貨自動補給装置。
【発明の詳細な説明】
【０００１】
【産業上の利用分野】
本発明は、パチンコホール等の遊技場において、パチンコ機列内に設置された台間玉貸機に投入された硬貨を搬送し、パチンコ機列の端部に設けた両替機または紙幣玉貸機へ補袷して両替用硬貨または釣銭用硬貨として使用する硬貨自動補給装置に関する。
【０００２】
【従来の技術】
従来、パチンコホール等の遊技場においては、各パチンコ機の間に、硬貨の投入によって、貸し玉が放出される台間玉貸機が配置され、この台間玉貸機に投入された硬貨を搬送し、パチンコ機列の端部に設けられた両替機または紙幣用玉貸機へ硬貨を補給する装置には、例えば、特公平４ー１９８７４号公報に記載されているような装置が知られている。
図３、図４、図５は、このような両替機または紙幣用玉貸機へ硬貨を補給する従来の硬貨自動補給装置を示したものであり、その概略を図面に基いて説明する。
【０００３】
図３に示すように、複数のパチンコ機１が配置されたパチンコ機列２において、各パチンコ機１同士の間には、硬貨の投入によって、貸し玉が放出される、台間玉貸機３が、それぞれ配置され、遊技者の便宜に供している。また、パチンコ機列２の内部下側には、パチンコ機１の並列方向に沿って、前記台間玉貸機３に投入された硬貨を、パチンコ機列２の端部まで搬送するコンベア５と、これを駆動する電動機１８（図４）を備えた硬貨搬送装置４が設けられている。
【０００４】
そして、パチンコ機列２の端部には、両替機又は紙幣の投入によって貸し玉と必要な釣銭硬貨を排出する紙幣用玉貸機７が配置され、前記パチンコ機列２の端末部から回収される硬貨を、これらの両替機または紙幣用玉貸機７に供給する硬貨自動補給装置６が配置されている。
次に、この硬貨自動補給装置の詳細を図５を参照しながら説明する。
【０００５】
パチンコ機列２内の台間玉貸機に投入された硬貨は、搬送装置４に設けられたコンベア５を介して、前記パチンコ機列２端部にある硬貨自動補給装置６へ搬送され、案内経路４５を経て、硬貨一時保留部２６に案内される。
そして、前記硬貨一時保留部２６には、硬貨の数量を検出する検出手段３６が設けられ、硬貨一時保留部２６に保留される硬貨の量を管理している。
検出手段３６は導電部材３６ａと絶縁部材３６ｂで構成され、導電性金属で構成された一時保留部２６の底壁５８と前記導電部材３６ａとの間の積み重なった硬貨で、導通が発生するタイミングを検出する。
【０００６】
さらに、所定数量の硬貨が収容されると、硬貨一時保留部２６の硬貨入口部にある硬貨案内弁１０が閉じられて、その後、過剰供給される硬貨は、硬貨放出口１１から硬貨収容金庫１２に排出される。
また、バケット８を回動可能に保持したキャリッジ３８は、上部及び下部にそれぞれワイヤ１４が取り付けられており、ワイヤ１４は硬貨自動補給装置の上部及び下部に設けられたプーリ３３、３２を介してモータ１３の動力をキャリッジ３８に伝達する。
【０００７】
前記両替機または紙幣用玉貸機に、硬貨の補給が必要になると、常時は、硬貨自動補給装置の上方に位置するバケット８が下降し、シャッター開閉レバー５５を押し下げ、シャッター開閉クランク５７で開閉レバー５５と連拮されたシャッター３５は開口する。
前記硬貨一時保留部２６に収容された硬貨は、シャッター３５が開口することによって、バケット８に投入され、ついで、バケット８が上昇し、前記両替機または紙幣用玉貸機の補給用硬貨投入口まで運搬される。
【０００８】
【発明が解決しようとする課題】
しかしながら、上記のような従来の硬貨自動補給装置の前記硬貨一時保留部においては、投入された硬貨をバケットへ投下するためのシャッター機構と、硬貨が過剰に投入された場合、硬貨を硬貨収容金庫へ導くための硬貨案内弁は、別個独立した構成からなり、さらに、前記硬貨一時保留部内に設けられた一時保留する硬貨の量を検出する検出手段は（この検出手段の反応に従って、前記過剰に投入される硬貨を硬貨収容金庫へ導く、硬貨案内弁が開閉するよう制御されていた）、一時保留される硬貨が、その底部から、滞留され、積み重なって検出手段の位置までに達したときに、滞留された硬貨の一部または全部を介して電気的導通状態が発生して、これを検知して、硬貨量を検出するように構成されていた。
【０００９】
このような従来の方法では、硬貨一時保留部において保留する硬貨の量は、前記するように、硬貨が底部から積み重なった位置が、前記検出手段まで達したときに、硬貨を介した導通によって検出されていたため、硬貨が、平面でのみ接し、立体的に積み重なりが無い場合には（硬貨が保留部底壁に一枚単位で敷きつめられた場合には）、硬貨の保留枚数が極端に少なくても、硬貨が保留されていると判断して検出してしまい、このため、少ない枚数のまま、バケットが昇降するのに対し、両替機または紙幣用玉貸機へ硬貨の補給量が少ないため、この少ない補給量のため、バケットに何度も、補給要求がされ、これがため、バケットの昇降回数が増え、バケットの昇降に無駄が生じることがあり、また、このことがバケットを含めた機器の耐久性の点で不利であった。
【００１０】
また、逆に、硬貨の積み重なり具合によっては、前記検出手段の検出信号とシャッターの開閉が、同期しないときには、一時保留部に、過度に硬貨が保留され、バケットから硬貨があふれる不具合もあった。
さらに、一時保留部のシャッターの開閉は、昇降するキャリッジの移動により、シャッター開閉レバー、シャッター開閉クランクを介しているため部品構成が複雑であったし、キャリッジを駆動するモータ及び動力を伝達するワイヤ等の荷重も増加され、耐久性に不利であった。
【００１１】
本発明は上述した問題点を解決するためになされたものであり、前記硬貨一時保留部において、硬貨の保留量を安定させ、一回で運ぶ硬貨の量を多くして、効率良く、バケットを運転し、結果的に、バケットの昇降回数を減少させ、耐久性を向上させると共に、機構を簡略化することで、安価にするようにした。
【００１２】
【課題を解決するための手段】
この目的を達成するために、本発明の定量硬貨自動補給装置は、前記硬貨一時保留部において投入された硬貨を収容あるいはバケットヘ投下するための開閉可能なシャッター機構と、過剰投入された硬貨を硬貨収容金庫へと導く案内板を一体形状としたオープナープレートと、オープナープレートを独立して駆動するソレノイドを設け、シャッター開閉レバー、シャッター開閉クランクとからなるものである。
【００１３】
すなわち、本発明においては、パチンコ機列内から搬送された硬貨の受取り部と、所定の高さ位置に配置される両替機または紙幣玉貸機の補給口へ硬貨を運搬する運搬装置の硬貨投入口との間に配置される硬貨自動補給装置において、所定の駆動手段を有して設けられ、閉じた状態において、さらに、一定量以上の硬貨が投入された場合には、その過剰に投入された硬貨を硬貨収容金庫側通路に排出せしめ、開いた状態では、該硬貨を硬貨運搬装置へ送り込む一体形状の傾斜オープナープレートを備えた定量硬貨自動補給装置としたものである。
【００１４】
さらに、本発明に係る定量硬貨自動補給装置は、その一体形状の傾斜オープナープレートが、開いた状態では、硬貨を運搬装置へ送り込む案内経路の一部を構成するようにしたものである。
また、本発明に係る定量硬貨自動補給装置は、その一体形状の傾斜オープナープレートは、閉じた状態では、一定量の硬貨を一時的に保留する硬貨一時保留部の一部を構成するようにしたものである。
【００１５】
【作用】
上記の構成を有する本発明の定量硬貨自動補給装置では、前記硬貨一時保留部と過剰投入された硬貨を硬貨収容金庫へ導くための案内板を一体形状で形成することにより、一時保留部内の硬貨は、前記一時保留部に保留されるか、または、前記一時保留部に硬貨が一杯になり、保留できない場合には、前記一体に形成された案内板により、二者択一的に硬貨回収金庫へ排出されるようにして、硬貨収納金への案内板の機構の動きとバケットへのオープナープレートの動きが完全に同期するようにしたので、無駄のあるバケットの動きが規制されると共に、バケットによる硬貨搬送効率が向上する。
【００１６】
【実施例】
以下、本発明に係る定量硬貨自動補給装置の一実施例を図面を参照して説明する。
図１は、本発明に係わる定量硬貨自動補給装置の一実施例概略を示すものであり、従来と同一の部材には、同一の符号を付し、その詳細な説明を省略する。
【００１７】
前記パチンコ機列２の末端部と両替機または紙幣用玉貸機７との問に配置される定量硬貨自動補袷装置６には、電動機１３およぴコンベア５を有する硬貨搬送装置によって、搬送された硬貨を受取り、定量の硬貨を仕分けする硬貨仕分け部３０（図１、図４）が設けられている。
そして、前記硬貨仕分け部３０内には、左端部が開閉可能なオープナープレート２１を有する硬貨一時保留部２６が設けられ、このオープナープレート２１は、ソレノイド２０の動きに準じて開閉が可能に構成される。
【００１８】
さらに、前記硬貨仕分け部３０内には、過剰に投入された硬貨を放出する放出口１１が設けられている。
また、前記硬貨仕分け部３０によって、仕分けられた定量の硬貨を搬送するためのバケット８には、内部に所定量の硬貨を検出するための検出手段９が設けられ、また、バケット８が、硬貨受取位置にあるときには、その位置において、検出手段９と、バケット８の間の導通を促すためのアースプレート２２が、バケット８の外部に接するように設けられている。
【００１９】
次に、定量硬貨自動補給装置の動作の詳細を図２に示したフローチャートを参照しながら説明する。
前記搬送装置４によって導かれた硬貨は、搬送装置４の端部にある硬貨投入ジヤバラ２３を介して、硬貨仕分け部３０上端部にある硬貨投入口２４に投入され、投入された硬貨は、案内板１０に沿って硬貨投入経路２５を経て、硬貨一時保留部２６に導かれる。この時、オープナープレート２１が閉じた状態であれば、投入された硬貨は、オープナープレート２１のシャッター機構６１側に積み上がり、一定量が保留される。
【００２０】
また、過剰に投入された硬貨は、オープナープレート２１のシャッター機構６１側に積み上がった硬貨に当たって、案内板６２の斜面にそって、硬貨放出口１１から放出される。この時、放出された硬貨は、定量硬貨自動補給装置６の端部に設置された両替機または紙幣用玉貸機７の内部下端に設けられた硬貨収容金庫１２に貯められる。
【００２１】
また、バケット内が、硬貨受取り可能と判断されると（Ｓ１：「ＹＥＳ」）、ソレノイド２０の吸引力によって、閉じられた状態にあるオープナープレート２１は、吸引が解かれ、引きバネ６３により、軸４０を中心に、反時計方向に回転され、開かれる（Ｓ２）。
【００２２】
そして、硬貨一時保留部２６に保留されていた硬貨は、硬貨案内経路３１を通って、バケット８内に導かれる。また、その後、硬貨投入口２４に投入される硬貨は、オープナープレート２１の案内板６２と、シャッター機構６１で、形成される案内経路２５、３１を経て、バケット８内に導かれ、バケット８内に投入された硬貨は、検出手段９によって、定量数検出され、所定量数の硬貨が検出されると（Ｓ３）、案内板１０は、ソレノイド２７によって閉じられ（Ｓ４）、バケット８内への硬貨の流入が、遮られる。その後、硬貨投入口２４に投入される硬貨は、案内経路２８を通って硬貨放出口１１から放出され、硬貨収容金庫１２に導かれる。
【００２３】
つぎに、ソレノイド２０の吸引によって、連結されたオープナープレート２１は、軸４０を中心に時計方向に回転し、閉じられ（Ｓ５）、案内板１０は、再びソレノイド２７によって開かれて（Ｓ６）、硬貨投入口２４に投入される硬貨は、前記の硬貨の流れと同様に、硬貨投入経路２５を通って、硬貨一時保留部２６に保留される。
【００２４】
その後、前記両替機または紙幣用玉貸機７において、硬貨の補給が必要になると（Ｓ７：「ＹＥＳ」）、電動機１３が駆動され、所定量の硬貨が貯まったバケット８を有するキャリッジ３８が上昇して、所定の硬貨放出位置に違すると、スイッチ１９が作動して、電動機１３は停止する。この時、キャリッジ３８に取り付けられたバケット反転アーム３９は、ポッパー１６によって、軸５０を中心とする回転運動が与えられ、バケット８を反転方向に押すことによって、バケット８は、軸３４を中心に反転され、硬貨は、シュート１６から両替機または紙幣用玉貸機７のホッパー部１７に供袷される（Ｓ８）。
【００２５】
以上、本発明の動作手順の一実施例を説明したが、この手順は、説明した実施例に何等限定されるものではなく、本発明の趣旨を逸脱しない範囲において種々の変更を加えることができる。例えば、本実施例では、パチンコ機列内における硬貨用玉貸機に投入された硬貨のみで説明したが、硬貨は、遊技場、パチンコホール等にて利用されるメダル等でもよい。
【００２６】
【発明の効果】
以上、詳述したように、本発明の定量硬貨自動補給装置によれば、硬貨一時保留部において、硬貨を収容し、バケットに投下するための開閉可能なシャッター機構と、過剰投入された硬貨を硬貨収容金庫に導くための案内板とを、一体形状としたオープナープレートとする一方、硬貨一時保留部内の所定位置に設けられる硬貨の量を検出する検出手段を省略したので、簡易な機構で、硬貨を一時保留部内に保留せしめる量を安定させることができ、、ひいては、バケットにおいて硬貨を運搬する際の効率が向上され、全体としての硬貨自動補給装置の耐久性と信頼性を向上させる効果がある。
【図面の簡単な説明】
【図１】図１は、本発明の一実施例を示す縦断面図である。
【図２】図２は、本発明の硬貨自動補給装置に関するソフトウエア構成を概略的に示すフローチャートである。
【図３】図３は、本発明の一実施例を示す遊技場における硬貨自動補給装置の設置概略図である。
【図４】図４は、本発明の一実施例を示す斜視図である。
【図５】図５は、従来の硬貨自動補給装置における縦断面図である。
【符号の説明】
８・・バケット
９・・・検出スイッチ
１１・・・排出口
１２・・・硬貨収容金庫
１３・・・電動機
２１・・・オープナープレート
２４・・・硬貨投入口
２６・・・硬貨一時保留部
３９・・・バケット反転アーム
【図１】
0003832872.tif 000002
【図２】
0003832872.tif 000003
【図３】
0003832872.tif 000004
【図４】
0003832872.tif 000005
【図５】
0003832872.tif 000006